(57)【要約】口栓を有する容器に充填された、固形物を含む食品若しくは医薬品である内容物が、保存又は流通時に、口栓部で固化することを、簡便な手段により防止することができる食品若しくは医薬品の保存又はその流通方法並びに食品若しくは医薬品の保存又はその流通用の箱を提供する。  口栓を有する容器（好ましくは、厚みが１０〜３０ｍｍの偏平な包装袋）に充填された、固形物を含む（好ましくは、固形分が４０〜６０％）の食品若しくは医薬品の保存又はその流通方法において、保存又は流通時に、前記容器を口栓部が下向きになるように傾斜させた状態（好ましくは、３〜２０°）で置くことを特徴とする。また、食品若しくは医薬品の保存又はその流通用の箱において、前記容器を上記のような状態で置くための、底部が傾斜した仕切り部材を有することを特徴とする。
2007119882.tif 000002
【特許請求の範囲】
【請求項１】
口栓を有する容器に充填された、固形物を含む食品若しくは医薬品の保存又はその流通方法において、保存又は流通時に、前記容器を口栓部が下向きになるように傾斜させた状態で置くことを特徴とする食品若しくは医薬品の保存又はその流通方法。
【請求項２】
前記固形物を含む食品若しくは医薬品は、固形分が４０〜６０％であることを特徴とする請求の範囲第１項に記載の食品若しくは医薬品の保存又はその流通方法。
【請求項３】
前記固形物を含む食品若しくは医薬品は、２５℃において粘度が２００〜５００００ｃＰであることを特徴とする請求の範囲第１項又は第２項に記載の食品若しくは医薬品の保存又はその流通方法。
【請求項４】
前記容器に充填され、充填後に加熱殺菌されたことを特徴とする請求の範囲第１項〜第３項のいずれか一項に記載の食品若しくは医薬品の保存又はその流通方法。
【請求項５】
前記容器が口栓を有する偏平な包装袋であり、前記包装体を口栓部が下向きになるように偏平面を底面として傾斜させた状態で置くことを特徴とする請求の範囲第１項〜第４項のいずれか一項に記載の食品若しくは医薬品の保存又はその流通方法。
【請求項６】
前記包装体は、厚みが１０〜３０ｍｍであることを特徴とする請求の範囲第５項に記載の食品若しくは医薬品の保存又はその流通方法。
【請求項７】
前記容器を３°〜２０°の傾斜角度で置くことを特徴とする請求の範囲第１項〜第６項のいずれか一項に記載の食品若しくは医薬品の保存又はその流通方法。
【請求項８】
口栓を有する容器に充填された、固形物を含む食品若しくは医薬品の保存又はその流通用の箱において、前記容器を口栓部が下向きになるように傾斜させた状態で置くための、底部が傾斜した仕切り部材を有することを特徴とする食品若しくは医薬品の保存又はその流通用の箱。
【請求項９】
前記容器が口栓を有する偏平な包装袋であり、前記底部が傾斜した仕切り部材は、前記包装体を口栓部が下向きになるように偏平面を底面として傾斜させた状態で置くためのものであることを特徴とする請求の範囲第８項に記載の食品若しくは医薬品の保存又はその流通用の箱。
【請求項１０】
前記包装体は、厚みが１０〜３０ｍｍであることを特徴とする請求の範囲第９項に記載の食品若しくは医薬品の保存又はその流通用の箱。
【請求項１１】
前記仕切り部材は、前記底部の傾斜角度が３°〜２０°であることを特徴とする請求の範囲第８項〜第１０項のいずれか一項に記載の食品若しくは医薬品の保存又はその流通用の箱。
【請求項１２】
前記仕切り部材は、前記箱を中央部において縦方向に二分する横仕切り板と、前記箱の両横側面側からそれぞれ前記中央部の横仕切り板に向かって底部が低くなるように傾斜した底板と、前記箱を中央部において横方向に二分する縦仕切り板を有し、前記横仕切り板と前記縦仕切り板を直交させて、前記箱を４つの小室に仕切るものであることを特徴とする請求の範囲第８項〜第１１項のいずれか一項に記載の食品若しくは医薬品の保存又はその流通用の箱。
【請求項１３】
前記仕切り部材は、前記箱を中央部において縦方向に二分する横仕切り板と、前記箱の両横側面側からそれぞれ前記中央部の横仕切り板に向かって底部が低くなるように傾斜した底板と、前記箱を横方向に等分割する複数の縦仕切り板を有し、前記横仕切り板と前記縦仕切り板を直交させて、前記箱を６つ以上の小室に仕切るものであることを特徴とする請求の範囲第８項〜第１１項のいずれか一項に記載の食品若しくは医薬品の保存又はその流通用の箱。
【請求項１４】
前記箱を小室に仕切る仕切り部材が、前記小室毎に分割されていることを特徴とする請求の範囲第１２項又は第１３項に記載の食品若しくは医薬品の保存又はその流通用の箱。
【発明の詳細な説明】
【技術分野】
【０００１】
本発明は、口栓を有する容器に充填された、固形物を含む食品若しくは医薬品を保存し又はそれを流通させるための保存又は流通方法並びに保存又は流通用の箱に関する技術である。
【背景技術】
【０００２】
従来、口栓を有する容器に充填された食品若しくは医薬品を保存し又はそれを流通させる保存又は流通方法としては、容器の口栓を上にして箱に入れ、保存し又は流通させる方法が一般的に行われていた（特許文献１及び２参照）。
【特許文献１】特開２０００−１９０９５３号公報
【特許文献２】特開２００１−３４１７３０号公報
【０００３】
しかしながら、上記のような食品若しくは医薬品の保存又はその流通方法では、口栓を有する容器に充填された内容物が、固形物を含む高粘度の食品若しくは医薬品の場合には、保存又は流通時に、口栓部内側の内容物からの水分の蒸発や、比重若しくは密度の差による水分の分離により、内容物が口栓部で固化してしまい、容器を押しても、なかなか出てこないことや呈味あるいは食感等で違和感をおぼえるというような問題があった。
また、洗顔フォーム等のチューブ入り商品、ブレークオープンタイプの注出口部材を有する包装体の場合には、チューブの口栓や包装体の注出口部材を真下に向けて、箱に入れ、保存し又は流通させることも行われていたが、チューブの口栓を支持するための支持枠を必要としたり、包装体の注出口部材を保護するために、吊り下げる部材や保護部材を必要とするという問題があった（特許文献３及び４参照）。
さらに、特許文献３及び４の発明において、口栓部を真下にした状態で流通させるのは、商品の箱詰めや陳列を容易にするため、若しくは包装体を破損させないためであり、固形物を含む高粘度の食品若しくは医薬品への適用を意図するものではなく、内容物が口栓部で固化するという課題を解決するためのものではない。
【特許文献３】特開２００１−３４８０２６号公報
【特許文献４】特開２００２−２１１６６３号公報
【０００４】
また、「裾部が扁平形状にシールされた合成樹脂製のチューブ容器を、寝かせた状態で左右に並べて長方形状の包装箱内に収納する合成樹脂製チューブ容器の包装方法であって、前記チューブ容器の扁平面を上下方向に向けると共に一本おきに前記チューブ容器の前後の向きを逆にし、且つ、前記チューブ容器同士を密着させた状態で水平に並べることにより、チューブ容器列を形成し、該チューブ容器列を上下に重ねると共に上下に隣り合う前記チューブ容器の前後の向きを逆にすることを特徴とする合成樹脂製チューブ容器の包装方法。」の発明が公知である（特許文献５、請求項２参照）が、特許文献５には、チューブ容器を傾斜させることは示されていない。
さらに、この発明は、「包装部材を使用しなくても、チューブ容器の荷崩れを起こさず塵埃の付着も防止でき、その結果、大量のごみが発生せず、包装容器を小型化できて輸送コストを削減でき、更に、包装箱外の塵埃が箱内に侵入してチューブ容器に付着するのを防止できる合成樹脂製チューブ容器の包装箱及びその包装方法を提供すること」（段落［０００６］）を課題とするものであり、この包装箱及び包装方法を適用するチューブ容器として「軟膏剤などの中身の入ったチューブ容器」（段落［００２３］）が例示されているが、口栓を有する容器に充填された、固形物を含む高粘度の食品若しくは医薬品が、口栓部で固化するという課題を解決するものではない。
【特許文献５】特開２００３−１０４３６９号公報
【０００５】
一方、菓子等を見栄え良く箱内に整列させて収容するために、トレイ状の紙箱を複数の区画に仕切って、各区画内に菓子等を１個ずつ収容するようにした仕切り付き紙箱において、仕切り板の底部を傾斜させたものも知られている（特許文献６参照）が、この発明は、菓子等の見栄えを良くすることを意図したものであり、内容物が口栓部で固化するという課題を解決するために、このような紙箱を、固形物を含む高粘度の食品若しくは医薬品に適用することを示唆するものではない。
【特許文献６】特許第３０９８５１６号公報
【発明の開示】
【発明が解決しようとする課題】
【０００６】
本発明は、口栓を有する容器に充填された内容物が、固形物を含む食品若しくは医薬品の場合、保存又は流通時に、内容物が口栓部で固化してしまい、容器を押しても、なかなか出てこない等の上記の問題を解決しようとするものであり、口栓を有する容器に充填された、固形物を含む食品若しくは医薬品である内容物が、保存又は流通時に、口栓部で固化することを、簡便な手段により防止することができる食品若しくは医薬品の保存又はその流通方法並びに食品若しくは医薬品の保存又はその流通用の箱を提供することを課題とする。
【課題を解決するための手段】
【０００７】
上記の課題を解決するために、本発明においては、以下の手段を採用する。
（１）口栓を有する容器に充填された、固形物を含む食品若しくは医薬品の保存又はその流通方法において、保存又は流通時に、前記容器を口栓部が下向きになるように傾斜させた状態で置くことを特徴とする食品若しくは医薬品の保存又はその流通方法である。
（２）前記固形物を含む食品若しくは医薬品は、固形分が４０〜６０％であることを特徴とする前記（１）の食品若しくは医薬品の保存又はその流通方法である。
（３）前記固形物を含む食品若しくは医薬品は、２５℃において粘度が２００〜５００００ｃＰであることを特徴とする前記（１）又は（２）の食品若しくは医薬品の保存又はその流通方法である。
（４）前記容器に充填され、充填後に加熱殺菌されたことを特徴とする前記（１）〜（３）のいずれか一項の食品若しくは医薬品の保存又はその流通方法である。
（５）前記容器が口栓を有する偏平な包装袋であり、前記包装体を口栓部が下向きになるように偏平面を底面として傾斜させた状態で置くことを特徴とする前記（１）〜（４）のいずれか一項の食品若しくは医薬品の保存又はその流通方法である。
（６）前記包装体は、厚みが１０〜３０ｍｍであることを特徴とする前記（５）の食品若しくは医薬品の保存又はその流通方法である。
（７）前記容器を３°〜２０°の傾斜角度で置くことを特徴とする前記（１）〜（６）のいずれか一項の食品若しくは医薬品の保存又はその流通方法である。
（８）口栓を有する容器に充填された、固形物を含む食品若しくは医薬品の保存又はその流通用の箱において、前記容器を口栓部が下向きになるように傾斜させた状態で置くための、底部が傾斜した仕切り部材を有することを特徴とする食品若しくは医薬品の保存又はその流通用の箱である。
（９）前記容器が口栓を有する偏平な包装袋であり、前記底部が傾斜した仕切り部材は、前記包装体を口栓部が下向きになるように偏平面を底面として傾斜させた状態で置くためのものであることを特徴とする前記（８）の食品若しくは医薬品の保存又はその流通用の箱である。
（１０）前記包装体は、厚みが１０〜３０ｍｍであることを特徴とする前記（９）の食品若しくは医薬品の保存又はその流通用の箱である。
（１１）前記仕切り部材は、前記底部の傾斜角度が３°〜２０°であることを特徴とする前記（８）〜（１０）のいずれか一項の食品若しくは医薬品の保存又はその流通用の箱である。
（１２）前記仕切り部材は、前記箱を中央部において縦方向に二分する横仕切り板と、前記箱の両横側面側からそれぞれ前記中央部の横仕切り板に向かって底部が低くなるように傾斜した底板と、前記箱を中央部において横方向に二分する縦仕切り板を有し、前記横仕切り板と前記縦仕切り板を直交させて、前記箱を４つの小室に仕切るものであることを特徴とする前記（８）〜（１１）のいずれか一項の食品若しくは医薬品の保存又はその流通用の箱である。
（１３）前記仕切り部材は、前記箱を中央部において縦方向に二分する横仕切り板と、前記箱の両横側面側からそれぞれ前記中央部の横仕切り板に向かって底部が低くなるように傾斜した底板と、前記箱を横方向に等分割する複数の縦仕切り板を有し、前記横仕切り板と前記縦仕切り板を直交させて、前記箱を６つ以上の小室に仕切るものであることを特徴とする前記（８）〜（１１）のいずれか一項の食品若しくは医薬品の保存又はその流通用の箱。
（１４）前記箱を小室に仕切る仕切り部材が、前記小室毎に分割されていることを特徴とする前記（１２）又は（１３）の食品若しくは医薬品の保存又はその流通用の箱。
【発明の効果】
【０００８】
容器の口栓部が下向きになるように傾斜させた状態で置くことにより、容器に充填された内容物である固形物を含む食品若しくは医薬品から離水した水が口栓部側に移動し、口栓部内容物の水分蒸発や、比重若しくは密度の差による水分の分離による固化を防止できる。これにより経口摂取する時に口あたりや舌ざわり上、違和感を覚え難くなる。また、口栓部の内径が大きい場合、適当なストローやアダプターを接続することで口を細口とし、少量ずつ排出したい場合にさらに効果を発揮する。内容物に固形物が存在すると、細口の先端部にそれが詰まりやすくなるためである。本発明は、この問題を解決するために好適であり、高齢者や要介護者のように咀嚼力・嚥下力及び握力が落ちた方でも、内容物を少量ずつ自力で摂取させることが可能となる。また、内容物を経管にて投与したい場合、各種カテーテルや経腸栄養用チューブ、特に胃瘻用チューブを使用する場合において、押出し操作が容易となり、チューブ内での詰まり発生や高握力を必要とすることがなく、介護時間の低減や労力の削減につながる。
また、容器が口栓を有する偏平な包装袋の場合には、包装体の偏平面を、箱の底面に対して垂直あるいは傾けて収容した状態で保存又は流通させることも可能であるが、望ましくは、包装体の偏平面を底面として傾斜させた状態で置くことで、製品を安定した状態で保存又は流通できる。
【図面の簡単な説明】
【０００９】
図１は、口栓を有する容器に充填された高粘度栄養組成物（固形物を含む食品）を、口栓部が下向きになるように傾斜させた状態（本発明の方法）で保存する一例を示す断面図である。
図２は、本発明の箱を仕切る仕切り部材の一例を示す斜視図である。
図３は、本発明の箱を仕切る分割した仕切り部材の一例（仕切り部材の一部）を示す斜視図である。
図４は、本発明の箱を仕切る分割した仕切り部材の一例（箱に収納した状態）を示す斜視図である。
図５は、口栓を有する容器に充填された高粘度栄養組成物（固形物を含む食品）を、口栓部を上向きとし垂直に立った状態で保存する比較例を示す断面図である。
図６は、口栓を有する容器に充填された高粘度栄養組成物（固形物を含む食品）を、平置き状態で保存する比較例を示す断面図である。
【符号の説明】
【００１０】
１  仕切り部材      ２  底板（底部）      ２ａ  底板（２）の切込み溝
３  底板の端を持ち上げる板
４  横仕切り板      ４ａ  横仕切り板（４）の切込み溝
５  縦仕切り板      ６  側壁板      ７  補強部
【発明を実施するための最良の形態】
【００１１】
本発明の保存又は流通方法並びに保存又は流通用の箱は、口栓を有する容器に充填された、固形物を含む食品若しくは医薬品を対象とするものである。
固形物を含む食品若しくは医薬品としては、糖分、ミネラル、たんぱく質等の固形分が４０〜６０％（すなわち水分が６０〜４０％）であり、２５℃において粘度が２００〜５００００ｃＰであるものが好ましい。粘度は、さらに好ましくは１０００〜２００００ｃＰである。
また、口栓を有する容器に充填された内容物は、水分を含み、かつ、食品若しくは医薬品であるから、商業的流通前に殺菌若しくは滅菌されることが一般的である。その方法として多くの場合、加熱殺菌処理が採られるが、充填後加熱殺菌される時に、口栓内部に粗大な固形物が発生し易い。それは、口栓内部は容器本体内部より単位面積当たりの内容物が容器内面に接触する面積が広いために、内容物がより長時間高温度で処理されるためである。すなわち、容器本体内部の殺菌を十分に実施しようとする時に、口栓内部は、上記理由により過剰に加熱処理されてしまうことになる。特に内容物の粘度が高い場合、対流が起こりにくいため、その傾向が顕著である。
容器としては、口栓を有する偏平な包装袋（パウチ）が好ましい。
このような口栓を有するパウチの場合、図１のごとく口栓部が下向きになるように偏平面を底面として傾斜させた状態で置くことにより、口栓部内に気体が残存しないように保たれる。
パウチの寸法としては、例えば、１７０ｍｍ（長さ）×８０ｍｍ（幅）×２０ｍｍ（厚み）のものを用いることができる。厚みは、１０〜３０ｍｍが好ましい。
本発明の保存又は流通方法は、保存又は流通時に、固形物を含む食品若しくは医薬品が充填された容器を口栓部が下向きになるように傾斜させた状態で置くことを特徴とし、また、本発明の保存又は流通用の箱は、前記容器を口栓部が下向きになるように傾斜させた状態で置くための、底部が傾斜した仕切り部材を有することを特徴とするものであるが、容器の傾斜角度（仕切り部材の底部の傾斜角度）は、特に限定されるものではなく、１°以上であればよい。
但し、４５°から９０°付近では、上記の従来技術に見られるように、口栓部を保持する機構が必要となること、また、流通時の安全性やコスト（傾斜角度４５°付近では、収容する箱内の不要なスペースの全体に占める割合が大きくなり、結果として収容できる製品数が減り、流通のための費用が増加する。）等を考慮すると、箱を仕切る仕切り部材（１）の底部（２）の傾斜角度（仕切り板の底部上に置かれた容器の傾斜角度）は、図１及び図２に示すように３°〜２０°であることが好ましく、５°〜１５°であることがより好ましい。
以下、本発明の箱及び仕切り部材の一実施形態を、図２によって具体的に説明する。
図２に示した保存又は流通用の箱を仕切るための仕切り部材（１）は、箱を中央部において縦方向に二分する横仕切り板（４）と、箱の両横側面側からそれぞれ中央部の横仕切り板（４）に向かって底部が低くなるように傾斜した底板（２）と、箱を中央部において横方向に二分する縦仕切り板（５）を有し、横仕切り板（４）と縦仕切り板（５）を直交させて、箱を４つの小室に仕切るものである。
図示の例では、箱を４つの小室に仕切るものであるが、箱を２枚以上の縦仕切り板（５）で横方向に等分割し、横仕切り板（４）と縦仕切り板（５）を直交させることにより、箱を６つ以上の小室に仕切ることもできる。
また、底板（２）には、箱の両横側面に接する箇所に、それぞれ底板（２）の端を持ち上げる板（３）を設けて、箱の両横側面側からそれぞれ中央部の横仕切り板（４）に向かって底部が低くなるように傾斜させることができる。底板（２）の端を持ち上げる板（３）を設けるかわりに、底板（２）の厚みを中央部と端部で変える等の手段を用いてもよい。
底板（２）、底板（２）の端を持ち上げる板（３）及び横仕切り板（４）を、一枚のコートボール、ダンボール等を折り曲げる（この場合、横仕切り板は、図１に示されるように二重になる）ことにより作製し、縦仕切り板（５）を底板（２）及び横仕切り板（４）のそれぞれの切込み溝（２ａ）、（４ａ）に差し込んで組み立てることができる。
図２に示した保存又は流通用の箱を仕切るための仕切り部材（１）は、使用時に、箱から、仕切り部材（１）ごと取り出すことができるものであるが、仕切り部材を、図３及び図４に示すように、小室毎に分割したもの（図示の例では、４個であるが、６個や８個に分割することもできる。）とし、それぞれ、取り出すことができるようにしてもよい。この場合には、図４に示すように、横仕切り板（４）及び縦仕切り板（５）は２重になり、それとは別に、側壁板（６）を設けることが好ましい。
また、底板（２）及び底板（２）の端を持ち上げる板（３）の一部を折り曲げることにより、補強部（７）としても良い。
仕切り部材を箱から取り出した後は、図３に示す分割した仕切り部材ごとに、口栓を有する容器に充填された、固形物を含む食品若しくは医薬品が、流通時の斜めに傾斜した状態で、使用時まで保存可能となり、不用意に縦置きされることを防止することができる。また、箱の製造上においても、中箱と同機構になるため、外箱に詰めやすくなるという特徴を併せ持つことができる。
箱及び仕切り部材の材質としては、コートボール、ダンボール（Ａフルート、Ｂフルート、Ｃフルート、Ｊフルート、Ｅフルート、Ｆフルート、Ｇフルート、ＡＢフルート：いずれもＪＩＳ規格）等を採用することができる。好ましくは、Ａフルート（「ＡＦ」と省略、以下同様）、ＢＦ、ＥＦである。材質の厚みは、材質が決定すれば必然的に決定し、ＡＦ：４〜５ｍｍ、ＢＦ：２〜３ｍｍ、ＣＦ：３〜４ｍｍ、ＪＦ：６ｍｍ、ＥＦ：１〜２ｍｍ、ＦＦ：０．７５ｍｍ、ＧＦ：０．５ｍｍ、ＡＢＦ：６〜８ｍｍである。
仕切り部材の大きさは、基本的には、容器サイズよりも大きいものである。好ましい寸法は、横（幅）方向（容器サイズ＋左右各５〜１０ｍｍ）であり、縦（長さ）方向（容器サイズ＋縦方向１０〜２０ｍｍ）である。
【実施例１】
【００１２】
表１に示した成分を有する高粘度栄養組成物を口栓スパウト付パウチ（製袋部：長さ１４５ｍｍ×幅８０ｍｍ×充填時最大厚さ２５ｍｍ、口栓部：長さ３０ｍｍ×内径８．５ｍｍ、以下「容器Ａ」と記す）に１５０ｇ充填し、平置きの状態にて最終Ｆ０値が１０となるよう１２６℃にて加熱殺菌を行った。
【表１】
2007119882.tif 000003
加熱殺菌後、図１のごとく容器Ａの口栓部が下向きになるように中仕切りを使用してθ＝１０°に傾斜させた状態（以下「状態Ａ」と記す）、図５のごとく口栓部を上向きとし垂直に立った状態（以下「状態Ｂ」と記す）、及び図６のごとく平置き状態（以下「状態Ｃ」と記す）にて、ダンボール箱に入れて、３ヵ月間保管（保存）した。
状態Ａ実施の外箱サイズ：ダンボールＡＦ、縦３６９ｍｍ×横１６７ｍｍ×高さ１７３ｍｍ、２０個入
状態Ａ実施の中仕切り：ダンボールＢＦ、底板、底板の端を持ち上げる板及び横仕切り板・・・縦７３０ｍｍ×横１６５ｍｍの一枚のダンボールを折り曲げ、底板及び横仕切り板には切り込みを入れて図２のような形状に加工。縦仕切り板・・・縦３６７ｍｍ×高さ１４３ｍｍ）
状態Ｂ実施の箱サイズ：ダンボールＡＦ、縦２４０ｍｍ×横１６０ｍｍ×高さ１７５ｍｍ、２０個入
状態Ｃ実施の箱サイズ：ダンボールＡＦ、縦３４５ｍｍ×横１６０ｍｍ×高さ１２０ｍｍ、２０個入
上記のように保管した状態Ａ〜Ｃ品を片手にて２０往復程度前後に強く振盪し、口栓を開封しそこに嵌合する円錐形のアダプター（全長５４ｍｍ、先端部内径２．３ｍｍ）を装着後、押し出し操作を実施した。パウチ内の組成物の粘度は２５℃において３０００ｃＰ（Ｂ型回転式粘度計にて測定）であった。状態Ａ〜Ｃ品について、それぞれ１０検体押し出し操作を行った。結果を表２に示す。
【表２】
2007119882.tif 000004
表２に示されるように、状態Ｂ（口栓部上向き、垂直）の場合には、押し出し時にアダプター先端部が詰まり、著しい抵抗のため内容物の排出が不可能なものが１０検体のうち大部分（８検体）であり、状態Ｃ（平置き）の場合にも、このような内容物の排出が不可能なものが１０検体のうち５検体、押し出し時に若干の抵抗を感じるが、なんとか内容物の排出が可能なものが、４検体であったのに対し、状態Ａ（口栓部下向き、傾斜）の場合には、押し出し時に抵抗をほとんど感じることなく、スムーズな内容物の排出が可能なものが１０検体のうち大部分（９検体）であったことから、口栓を有する容器に充填された、固形物を含む食品若しくは医薬品を、容器の口栓部が下向きになるように傾斜させた状態で保存又は流通させると、「口栓部内容物の水分蒸発や、比重若しくは密度の差による水分の分離による固化を防止できる」という本発明の効果が確認された。
【図１】
2007119882.tif 000005
【図２】
2007119882.tif 000006
【図３】
2007119882.tif 000007
【図４】
2007119882.tif 000008
【図５】
2007119882.tif 000009
【図６】
2007119882.tif 000010
【国際調査報告】
2007119882.tif 000011
2007119882.tif 000012
2007119882.tif 000013
2007119882.tif 000014